(57)【要約】【課題】  ユーザに煩わしさを感じさせることなく、ユーザが容易に撮像画像を確認することができる。【解決手段】  ＣＰＵは、シャッタボタンが本押しされたことを検出すると（ステップＳ５）、すでに算出されたシャッタ速度で被写体を撮像するようにＣＣＤイメージセンサを制御する（ステップＳ６）。そして、シャッタ速度＞１／３０［秒］であるか否かを判定し（ステップＳ７）、否定判定であるときは本ルーチンの処理を終了する。一方、肯定判定であるときは、ＣＰＵは、ＶＲＡＭから画像データを読み出して、ＬＣＤ制御部を介して、画像データの画像をＬＣＤに数秒間通常サイズで表示する（ステップＳ８）。その後、ＣＰＵは、ＬＣＤに表示した画像を拡大する（ステップＳ９）。【選択図】  図２
2006340335.tif 000002
【特許請求の範囲】
【請求項１】
光学系を介して被写体からの撮像光に応じて被写体を撮像する撮像手段と、
前記撮像手段のシャッタ速度を算出するシャッタ速度算出手段と、
画像を表示する画像表示手段と、
前記シャッタ算出手段により算出されたシャッタ速度が閾値より大きいか否かを判定するシャッタ速度判定手段と、
前記シャッタ速度判定手段により前記シャッタ速度が閾値より大きいと判定されたときに、前記撮像手段で撮像された被写体の画像を前記画像表示手段に拡大して表示する制御を行う制御手段と、
を備えた撮像装置。
【請求項２】
前記シャッタ速度判定手段は、１／３０秒以上の値を前記閾値とする
請求項１に記載の撮像装置。
【請求項３】
前記光学系の焦点距離を算出する焦点距離算出手段を更に備え、
前記シャッタ速度判定手段は、前記焦点距離算出手段により算出された焦点距離の逆数を前記閾値とする
請求項１に記載の撮像装置。
【請求項４】
光学系を介して被写体からの撮像光に応じて被写体を撮像する撮像手段と、
画像を表示する画像表示手段と、
前記撮像手段により撮像された被写体の画像に基づいて、前記被写体に焦点が合っている度合いを表す評価値を算出する評価値算出手段と、
前記評価値算出手段により算出された評価値に基づいて、最適な焦点位置があるか否かを判定する評価値判定手段と、
前記評価値判定手段により最適な焦点位置がないと判定されたときに、前記撮像手段で撮像された被写体の画像を前記画像表示手段に拡大して表示する制御を行う制御手段と、
を備えた撮像装置。
【請求項５】
前記評価値判定手段は、少なくとも、前記評価値が複数のピークを有するとき、ピーク値が所定の閾値より小さいときのいずれかの場合は、最適な焦点位置がないと判定する
請求項４に記載の撮像装置。
【請求項６】
前記撮像手段により撮像された被写体の画像に基づいて、前記被写体に焦点が合っている度合いを表す評価値を算出する評価値算出手段と、
前記評価値算出手段により算出された評価値に基づいて、最適な焦点位置があるか否かを判定する評価値判定手段と、を更に備え、
前記制御手段は、前記シャッタ速度判定手段により前記シャッタ速度が閾値より大きいと判定されたとき、前記評価値判定手段により最適な焦点位置がないと判定されたときに、のいずれかのときに、前記撮像手段で撮像された被写体の画像を前記画像表示手段に拡大して表示する制御を行う
請求項１に記載の撮像装置。
【請求項７】
光学系を介して撮像手段が被写体からの撮像光に応じて被写体を撮像し、
前記撮像手段のシャッタ速度を算出し、
前記算出された前記シャッタ速度が閾値より大きいときに、前記撮像手段で撮像された被写体の画像を画像表示手段に拡大して表示する
撮像画像の表示方法。
【請求項８】
１／３０秒以上の値を前記閾値とする
請求項７に記載の撮像画像の表示方法。
【請求項９】
前記光学系の焦点距離を算出し、
前記算出された焦点距離の逆数を前記閾値とする
請求項７に記載の撮像画像の表示方法。
【請求項１０】
光学系を介して撮像手段が被写体からの撮像光に応じて被写体を撮像し、
前記被写体の画像に基づいて、前記被写体に焦点が合っている度合いを表す評価値を算出し、
前記算出された評価値に基づいて最適な焦点位置があるか否かを判定し、最適な焦点位置がないと判定されたときに、前記撮像手段で撮像された被写体の画像を画像表示手段に拡大して表示する
撮像画像の表示方法。
【請求項１１】
少なくとも、前記評価値が複数のピークを有するとき、ピーク値が所定の閾値より小さいときのいずれかの場合は、最適な焦点位置がないと判定する
請求項１０に記載の撮像画像の表示方法。
【請求項１２】
前記撮像手段により撮像された被写体の画像に基づいて、前記被写体に焦点が合っている度合いを表す評価値を算出し、
前記算出された評価値に基づいて、最適な焦点位置があるか否かを判定し、
前記算出された前記シャッタ速度が閾値より大きいとき、前記最適な焦点位置がないと判定されたときに、のいずれかのときに、前記撮像手段で撮像された被写体の画像を画像表示手段に拡大して表示する
請求項７に記載の撮像画像の表示方法。
【発明の詳細な説明】
【技術分野】
【０００１】
本発明は、撮像装置及び撮像画像の表示方法に係り、特に、ユーザが撮像画像を容易に確認できる撮像装置及び撮像画像の表示方法に関する。
【背景技術】
【０００２】
カメラで被写体を撮影する際に、手ぶれが生じると、画質が劣化してしまう。そこで、手ぶれ補正を行う様々なカメラが提案されている。
【０００３】
例えば、長焦点距離撮影時に生じ易い手ぶれを防止する高倍率ズーム機能を持つズームカメラが開示されている（例えば特許文献１を参照。）。特許文献１のズームカメラでは、ズーミング用モータ１がズーミングレンズ２を駆動し、その時の現在位置を焦点距離検出部３が検出する。限界焦点距離算出部４は、ＩＳＯ情報と被写体輝度情報とからシャッタスピードを算出し、そのシャッタスピードで手ぶれを起こさない焦点距離限界値を算出する。手ぶれを起こすシャッタスピードである時には、警告し、その焦点距離限界値に応じた、例えば長焦点への設定を禁止部５により禁止処理を実施する。
【０００４】
また、手ぶれ警告の頻発が予測される高倍率ズーム撮影などの特殊撮影条件下において、手ぶれ警告の頻発による煩わしさが生じないカメラが開示されている（例えば特許文献２を参照。）。
【０００５】
特許文献２に記載されたカメラは、特許文献２の図１に示すように、ズームレンズ１１を含む撮影光学手段１０と、この撮影光学手段１０にて設定された前記ズームレンズ１１の焦点距離ｆとシャッタスピードＳＴとの関係から手ぶれ発生を予測する予測手段１５，１６ｂ，３０と、この予測手段１５，１６ｂ，３０により手ぶれ発生が予測される場合であって、且つシャッタスピードＳＴが所定レベル以下の場合に限り手ぶれ警告を与える手ぶれ警告付与手段１６ｃ，１９，２６，３１とを備えている。
【０００６】
そして、特許文献１及び２のいずれかに記載の技術によって手振れの警告があった場合、ユーザは、カメラに搭載されたＬＣＤ（Liquid Crystal Display）に表示された撮影直後の画像をみて、手振れの有無を確認する。
【特許文献１】特開平６−２７５１４号公報
【特許文献２】特開２００２−２３２４３号公報
【発明の開示】
【発明が解決しようとする課題】
【０００７】
通常、カメラに搭載されたＬＣＤの画素数は、被写体を撮像するイメージセンサの画素数よりも小さい。このため、ユーザは、ＬＣＤに表示された画像を見たとしても、手振れ、被写体ぶれの有無を正確に確認することができなかった。同様の理由で、被写体像の焦点ぼけの有無の確認も困難であった。
【０００８】
これに対して、ユーザが画像を拡大して手振れやピンぼけ等を確認する方法が考えられる。しかし、画像を確認するためにユーザが画像拡大の操作を行うのは非常に煩わしく、実用的ではない。
【０００９】
本発明は、上述した課題を解決するために提案されたものであり、ユーザに煩わしさを感じさせることなく、ユーザが容易に撮像画像を確認することができる撮像装置及び撮像画像の表示方法を提供することを目的とする。
【課題を解決するための手段】
【００１０】
上述した課題を解決するため、本発明に係る撮像装置は、光学系を介して被写体からの撮像光に応じて被写体を撮像する撮像手段と、前記撮像手段のシャッタ速度を算出するシャッタ速度算出手段と、画像を表示する画像表示手段と、前記シャッタ算出手段により算出されたシャッタ速度が閾値より大きいか否かを判定するシャッタ速度判定手段と、前記シャッタ速度判定手段により前記シャッタ速度が閾値より大きいと判定されたときに、前記撮像手段で撮像された被写体の画像を前記画像表示手段に拡大して表示する制御を行う制御手段と、を備えている。
【００１１】
本発明に係る撮像画像の表示方法は、光学系を介して撮像手段が被写体からの撮像光に応じて被写体を撮像し、前記撮像手段のシャッタ速度を算出し、前記算出された前記シャッタ速度が閾値より大きいときに、前記撮像手段で撮像された被写体の画像を画像表示手段に拡大して表示する。
【００１２】
撮像手段のシャッタ速度の値がある閾値より大きくなると、手振れ、被写体ぶれ等によって撮影画像にぶれが生じる可能性がある。ここで閾値としては、撮影画像のぶれの有無を判別できる値であれば特に限定されるものではないが、例えば、１／３０秒以上の値であってもよいし、焦点距離の逆数であってもよい。
【００１３】
したがって、上記の各発明によれば、シャッタ速度が閾値より大きいときに、撮像手段で撮像された被写体の画像を画像表示手段に拡大して表示することにより、撮影画像にぶれが生じる可能性があるときに、撮影画像を自動的に拡大表示する。このため、ユーザは、煩わしい操作を行うことなく、撮影画像のぶれの有無を容易に確認することができる。
【００１４】
本発明に係る撮像装置は、光学系を介して被写体からの撮像光に応じて被写体を撮像する撮像手段と、画像を表示する画像表示手段と、前記撮像手段により撮像された被写体の画像に基づいて、前記被写体に焦点が合っている度合いを表す評価値を算出する評価値算出手段と、前記評価値算出手段により算出された評価値に基づいて、最適な焦点位置があるか否かを判定する評価値判定手段と、前記評価値判定手段により最適な焦点位置がないと判定されたときに、前記撮像手段で撮像された被写体の画像を前記画像表示手段に拡大して表示する制御を行う制御手段と、を備えている。
【００１５】
本発明に係る撮像画像の表示方法は、光学系を介して撮像手段が被写体からの撮像光に応じて被写体を撮像し、前記被写体の画像に基づいて、前記被写体に焦点が合っている度合いを表す評価値を算出し、前記算出された評価値に基づいて最適な焦点位置があるか否かを判定し、最適な焦点位置がないと判定されたときに、前記撮像手段で撮像された被写体の画像を画像表示手段に拡大して表示する。
【００１６】
例えば、暗闇に２、３個のライトがあるような夜景を撮像すると、最適な焦点位置が得られないことがある。このような場合、被写体に焦点が合っている度合いを表す評価値は、フォーカスレンズの位置が連続的に変化すると、複数のピークを有していたり、ピーク値が低かったりする。
【００１７】
そこで、上記の各発明によれば、算出された評価値に基づいて最適な焦点位置があるか否かを判定し、最適な焦点位置がないと判定されたときに、撮像手段で撮像された被写体の画像を画像表示手段に拡大して表示することにより、最適な焦点位置が得られない可能性がある場合に、被写体の画像を自動的に拡大表示する。このため、ユーザは、煩わしい操作を行うことなく、被写体の焦点ぼけの有無を容易に確認することができる。
【発明の効果】
【００１８】
本発明に係る撮像装置及び撮像画像の表示方法は、被写体の撮像画像の画質が悪い可能性があるときに、その画像が自動的に拡大表示されるので、ユーザは煩わしい操作を行うことなく、撮像画像を確認することができる。
【発明を実施するための最良の形態】
【００１９】
以下、本発明を実施するための最良の形態について、図面を参照しながら詳細に説明する。
【００２０】
［第１の実施形態］
図１は、本発明の第１の実施形態に係る撮像装置の構成を示すブロック図である。
【００２１】
撮像装置は、被写体からの撮像光が入力される光学ユニット１０と、光学ユニット１０の光軸後方に配置され当該光学ユニット１０を介して被写体を撮像する撮像部２０と、画像処理や全体制御を行う主制御部３０と、主制御部３０で処理された画像を出力する出力部５０とを備えている。
【００２２】
光学ユニット１０は、ズームレンズ１１、絞り機構１２と、フォーカスレンズ１３を備えている。ズームレンズ１１はズームモータによって、フォーカスレンズ１３はオートフォーカスモータによって光軸方向に移動可能である。絞り機構１２の絞りは、アイリスモータによって制御される。これらのモータは、モータドライバ１４によって制御される。
【００２３】
撮像部２０は、光学ユニット１０からの撮像光に応じて被写体像の画像信号を生成するＣＣＤイメージセンサ２１と、ＣＣＤイメージセンサ２１から読み出された画像信号に含まれるノイズ成分を除去する相関二重サンプリング（ＣＤＳ：Correlated Double Sampling）処理を行うＣＤＳ回路２２と、ＣＤＳ回路２２により処理されたアナログ信号をデジタル信号に変換するデジタル／アナログ変換器（以下、Ａ／Ｄ変換器という）２３と、ＣＣＤイメージセンサ２１を駆動するためのタイミング信号を生成するタイミングジェネレータ（ＴＧ）２４と、を備えている。
【００２４】
主制御部３０は、バス３１を介して相互に接続された様々な回路を備えている。詳細には、主制御部３０は、Ａ／Ｄ変換器２３からの画像データをバス３１に供給する画像入力制御部３２と、入力された画像データに対して所定のデジタル信号処理を行う画像処理回路３３と、表示すべき画像を表す画像データを格納するためのＶＲＡＭ３４と、ＶＲＡＭ３４に格納された画像データに基づく画像をＬＣＤ５１に表示させる制御を行うＬＣＤ制御部３５と、を備えている。
【００２５】
さらに、主制御部３０は、フォーカスレンズ１３の焦点調整するために用いるコントラスト値を検出するＡＦ検出回路３６と、画像データに基づいて最適な露出及びホワイトバランスを検出するＡＥ（Auto Exposure）検出回路３７と、各種プログラムやパラメータ等の情報が予め記憶されているＥＥＰＲＯＭ（Electrically Erasable Programmable Read Only Memory）３８と、ワークメモリとして用いられるＳＤＲＡＭ（Synchronous Dynamic Random Access Memory）３９と、画像データを圧縮・伸張する圧縮伸張回路４０と、記録メディア５２に対して各種情報を読み書きするメディア制御部４１と、ＥＥＰＲＯＭ３８から適宜情報を読み出して上記各部を制御するＣＰＵ４２と、を備えている。
【００２６】
ＡＦ検出回路３６は、撮像部２０から入力されＶＲＡＭ３４に記憶された画像データのコントラスト値を検出する。なお、コントラスト値は、被写体に焦点位置があっている度合いを表している。このため、コントラスト値が最大になるときに合焦位置が得られる。
【００２７】
ＡＥ・ＡＷＢ検出回路３７は、画像データに基づいて被写体の明るさを表す露出値（ＥＶ値）を検出する。ＥＶ値は、詳しくは後述するが、絞りやシャッタ速度を求めるときの測光値として用いられる。
【００２８】
以上のような構成の撮像装置では、ＣＣＤイメージセンサ２１から出力された被写体像を表すアナログ信号は、ＣＤＳ回路２２による処理が施され、Ａ／Ｄ変換器２３によりデジタル画像信号に変換された後、画像データとして、画像入力制御部６２から主制御部３０内に入力される。この入力された画像データは、バス３１を介してＳＤＲＡＭ３９に一旦記憶される。
【００２９】
主制御部３０では、ＳＤＲＡＭ３９に記憶された画像データに基づいて、ＡＦ検出回路３６がコントラスト値を演算し、ＡＥ検出回路３７がＡＥ演算を行う。ＣＰＵ４２は、これらの演算結果に基づいて、モータドライバ１４を介してフォーカスレンズ４０を合焦位置に移動させると共に、絞り機構１２及びＣＣＤイメージセンサ２１の電子シャッタ機能を適正な露光制御値（絞り値やシャッタスピード）に設定し、ＡＷＢ調整値を設定する。
【００３０】
なお、本実施の形態では、ＡＥ検出回路３７は、画像データに基づいて被写体の明るさであるＥＶ値や絞り値等を算出するが、本発明はこれに限るものではない。例えば、周辺光量を検出する光センサ等を設け、当該光センサ出力に基づいて算出するようにしてもよい。
【００３１】
図２は、被写体撮像ルーチンを示すフローチャートである。すなわち、ＣＰＵ４２は、次のステップＳ１移行の処理を実行する。
【００３２】
ステップＳ１では、ズームレンズ１１によって画角が決められた後、ＣＰＵ４２は、シャッタボタン４５が半押しされたか否かを判定し、半押しされるまで待機する。そして、ＣＰＵ４２はシャッタボタン２２が半押しされたことを検出すると、ステップＳ２に移行する。
【００３３】
ステップＳ２では、ＣＰＵ４２は、図示しないエンコーダより得られるズームレンズ１１の位置（ズームポジション）を読み込み、そのズームポジションに基づいて焦点距離ｆを算出して、ステップＳ３に移行する。
【００３４】
ステップＳ３では、ＡＥ検出回路３７において、測光値（ＥＶ値）と予め設定されたＩＳＯ感度とに基づいて露光値が算出される。ＣＰＵ４２は、これらの情報を用いて、当該撮像装置のプログラム線図を参照して、絞り値及びシャッタ速度（シャッタ開口時間［ｓ］）を算出して、ステップＳ４に移行する。
【００３５】
ステップＳ４では、ＣＰＵ４２は、オートフォーカス処理を実行する。具体的には、ＣＰＵ４２は、モータドライバ１４を介してフォーカスレンズ１３を移動させながら、ＡＦ検出回路３６で検出されたコントラストが最大となる位置を検出し、その位置にフォーカスレンズ１３を設定して、ステップＳ５に移行する。
【００３６】
ステップＳ５では、ＣＰＵ４２は、シャッタボタン４５が本押しされたか否かを判定し、本押しされるまで待機する。そして、ＣＰＵ４２はシャッタボタン２２が本押しされたことを検出すると、ステップＳ６に移行する。
【００３７】
ステップＳ６では、ＣＰＵ４２は、ステップＳ３で算出されたシャッタ速度で被写体を撮像するようにＣＣＤイメージセンサ２１を制御して、ステップＳ７に移行する。これにより、ＣＣＤイメージセンサ２１で生成された被写体の画像は、デジタル信号に変換され、主制御部３０のＶＲＡＭ３４に格納される。
【００３８】
ステップＳ７では、ＣＰＵ４２は、シャッタ速度＞１／３０［秒］であるか否かを判定し、肯定判定であるときはステップＳ８に移行し、否定判定であるときは本ルーチンの処理を終了する。ここで、１／３０［秒］とした理由は、人間の生体反応の１つである揺らぎの周波数は５〜１０［Ｈｚ］であり、シャッタ速度が１／３０［秒］を超えると、撮像装置はその揺らぎの振動の影響をうけてしまい、手振れ又は被写体のぶれによって撮影画像がぶれるからである。
【００３９】
なお、本実施形態では、撮影画像がぶれる可能性のあるシャッタ速度の閾値として、１／３０［秒］を用いたが、撮影画像がぶれる可能性のあるシャッタ速度であれば上記の値に限定されず、例えば１／３０［秒］より大きい値であってもよい。
【００４０】
ステップＳ８では、ＣＰＵ４２は、ＶＲＡＭ３４から画像データを読み出して、ＬＣＤ制御部３５を介して、上記画像データの画像をＬＣＤ５１に数秒間通常サイズで表示（プレビュー）して、ステップＳ９に移行する。
【００４１】
ステップＳ９では、ＣＰＵ４２は、ＬＣＤ５１に表示した画像を拡大して、処理を終了する。これにより、ユーザは、撮影画像のぶれの有無を確認することができる。その後、ユーザが図示しないＯＫボタンを押圧すると、ＶＲＡＭ３４に記憶された画像データは、圧縮伸長回路４０で圧縮された後に、メディア制御部４１を介して記録メディア５２に記録される。なお、ユーザが図示しないＮＧボタンを押圧した場合、ＶＲＡＭ３４に記憶された画像データは消去される。
【００４２】
以上のように、第１の実施形態に係る撮像装置は、シャッタ速度＞１／３０［秒］であるか否かを判定し、シャッタ速度＞１／３０［秒］であるときは撮影画像にぶれが生じた可能性があるので、被写体の撮像画像を自動的にＬＣＤ５１に拡大表示する。これにより、撮影画像にぶれが生じた可能性がある場合には、ユーザは煩わしい作業を行うことなくその撮影画像を確認することができる。
【００４３】
なお、本発明は、上述した例に限定されるものではなく、次のような場合にも適用可能である。
【００４４】
例えば、ステップＳ７において、ＣＰＵ４２は、シャッタ速度＞１／３０［秒］であるか否かを判定したが、その代わりに、シャッタ速度＞１／焦点距離［秒］であるか否かを判定してもよい。この場合、肯定判定のときはステップＳ８に移行し、否定判定のときは上記ルーチンの処理を終了するとよい。シャッタ速度＞１／焦点距離［秒］であるか否かを判定する理由は、この式を満たすときは手振れが生じる可能性が高いからである。
【００４５】
［第２の実施形態］
つぎに、本発明の第２の実施形態について説明する。なお、第１の実施形態と同様の回路には同様の符号を付し、その詳細な説明は省略する。第２の実施形態に係る撮像装置は、図１に示すように構成されており、更に次のルーチンを実行する。
【００４６】
図３は、第２の実施形態の被写体撮像ルーチンを示すフローチャートである。本ルーチンでは、図２に示した被写体撮像ルーチンのステップＳ７の代わりにステップＳ１１が実行される。
【００４７】
ステップＳ１１では、ＣＰＵ４２は、ＡＦ評価値が適正であるか否かを判定する。ここで、ＡＦ評価値とは、フォーカスレンズ１３が移動しているときにＡＦ検出回路３６で検出されたコントラスト値をいう。
【００４８】
ＡＦ評価値が適正である場合、フォーカスレンズ１３がＣＣＤイメージセンサ２１の撮像面に対して最も遠い位置から最も近い位置（又は最も近い位置から最も遠い位置）まで移動する間に、ＡＦ評価値は次第に増加し、最大値になった後、次第に減少する。ＡＦ評価値が適正でない場合、フォーカスレンズ１３が上記のように移動する間に、ＡＦ評価値は複数のピークを有していたり、ピーク値が所定の閾値より小さかったり（なだらかな増加又は減少関数になったり）する。このようなＡＦ評価値が得られる画像の一例としては、例えば夜間に複数の明かりがある建物の画像が該当する。
【００４９】
そこで、ＣＰＵ４２は、フォーカスレンズ１３が移動しているときのＡＦ評価値のピークが何度もあったり、ピーク値が所定の閾値より小さかったりした場合（又はＡＦ評価値の傾きの絶対値がすべて所定値以下であった場合）は、ＡＦ評価値が適正でないと判定し、それらに該当しない場合はＡＦ評価値が適正であると判定する。ＡＦ評価値が適正であるときは本ルーチンの処理を終了し、適正でないときはステップＳ８に移行する。
【００５０】
そして、ステップＳ８及びＳ９において、ＣＰＵ４２は、ＶＲＡＭ３４から画像データを読み出して、画像を数秒間ＬＣＤ５１に表示させ、その後、その画像を拡大して、処理を終了する。これにより、ユーザは、焦点ぼけの有無を確認することができる。
【００５１】
その後、ユーザが図示しないＯＫボタンを押圧すると、ＶＲＡＭ３４に記憶された画像データは、圧縮伸長回路４０で圧縮された後に、メディア制御部４１を介して記録メディア５２に記録される。また、ユーザが図示しないＮＧボタンを押圧した場合、ＶＲＡＭ３４に記憶された画像データは消去される。
【００５２】
以上のように、第２の実施形態に係る撮像装置は、ＡＦ評価値が適正であるか否かを判定し、適正ではないと判定したときは焦点が合っていない可能性があるので、被写体の撮像画像を自動的にＬＣＤ５１に拡大表示する。これにより、焦点が合ってなく被写体がぼけている可能性がある場合には、ユーザは煩わしい作業を行うことなくその被写体の画像を容易に確認することができる。
【００５３】
なお、本発明は、上述した実施形態に限定されるものではなく、特許請求の範囲に記載された事項の範囲内で設計変更されたものにも適用可能である。例えば、本発明の撮像装置は、図１に示す構成に限定されるものではない。また、ＡＦ評価値の一例として画像データのコントラスト値を用いたが、これに限定されるものでもないのは勿論である。
【図面の簡単な説明】
【００５４】
【図１】本発明の第１の実施形態に係る撮像装置の構成を示すブロック図である。
【図２】被写体撮像ルーチンを示すフローチャートである。
【図３】本発明の第２の実施形態の被写体撮像ルーチンを示すフローチャートである。
【符号の説明】
【００５５】
１０  光学ユニット
１１  ズームレンズ
１２  絞り機構
１３  フォーカスレンズ
１４  モータドライバ
１５  角速度センサ
２１  ＣＣＤイメージセンサ
３６  ＡＦ検出回路
３７  ＡＥ検出回路
４２  ＣＰＵ
４５  シャッタボタン
【図１】
2006340335.tif 000003
【図２】
2006340335.tif 000004
【図３】
2006340335.tif 000005